(57)【要約】【課題】少ないメモリバッファで撮影間隔を短くする。【解決手段】被写体画像を撮影する撮像手段と、前記撮像手段により撮影された画像を、所定の圧縮ファイル形式にするための処理を行う画像処理手段と、前記撮影された画像を表示手段に表示するための処理を行う表示処理手段と、前記画像処理手段により実行される圧縮処理の完了後に、前記表示処理手段により前記撮影された画像を表示するための処理と次の被写体画像を撮影するための前記撮像手段の実行とが並行して行われるように制御する制御手段とを有する。【選択図】      図１
2006086743.tif 000002
【特許請求の範囲】
【請求項１】
被写体画像を撮影する撮像手段と、
前記撮像手段により撮影された画像を、所定の圧縮ファイル形式にするための処理を行う画像処理手段と、
前記撮影された画像を表示手段に表示するための処理を行う表示処理手段と、
前記画像処理手段により実行される圧縮処理の完了後に、前記表示処理手段により前記撮影された画像を表示するための処理と次の被写体画像を撮影するための前記撮像手段の実行とが並行して行われるように制御する制御手段とを有する撮像装置。
【請求項２】
前記撮像装置は、更に単写撮影モードと連写撮影モードを設定する設定手段を有し、
前記制御手段は、前記設定手段により連写撮影モードが設定されているときにのみ、前記撮影された画像を表示するための処理と次の被写体画像を撮影するための前記撮像手段の実行とが並行して行われるように制御することを特徴とする請求項１に記載の撮像装置。
【請求項３】
前記撮像装置は、更に撮影された画像を前記表示手段に表示する際に所定の撮影情報を重畳して表示するか否かにより区別される少なくとも２つ以上の再生表示モードと、該再生表示モードを選択するための選択手段を有し、
前記制御手段は、前記選択手段により前記所定の撮影情報を重畳して表示しない再生表示モードが選択されているときにのみ、前記撮影された画像の表示するための処理と次の被写体画像を撮影するための前記撮像手段の実行とが並行して行われるように制御することを特徴とする請求項１に記載の撮像装置。
【請求項４】
前記制御手段は、前期選択手段により重畳して表示する撮影情報の情報量が所定量以下の再生表示モードが選択されている場合には、撮影情報を重畳して表示しない再生表示モードが選択されている場合と同様に、前記撮影された画像の表示するための処理と次の被写体画像を撮影するための前記撮像手段の実行とが並行して行われるように制御することを特徴とする請求項３に記載の撮像装置。
【請求項５】
前記制御手段は、前記選択手段により前記所定の撮影情報を重畳して表示する再生表示モードが選択されているときには、前記撮影された画像の表示するための処理が完了した後に、次の被写体画像を撮影するための前記撮像手段の実行が行われるように制御することを特徴とする請求項３に記載の撮像装置。
【請求項６】
前記制御手段は、前記選択手段により撮影条件のみを重畳して表示する再生表示モードが選択されている場合には、撮影情報を重畳して表示しない再生表示モードが選択されている場合と同様に、前記撮影された画像の表示するための処理と次の被写体画像を撮影するための前記撮像手段の実行とが並行して行われるように制御することを特徴とする請求項３に記載の撮像装置。
【請求項７】
前記制御手段は、前記選択手段により撮影条件及び画像の輝度分布を重畳して表示する再生表示モードが選択されている場合には、前記撮影された画像の表示するための処理が完了した後に、次の被写体画像を撮影するための前記撮像手段の実行が行われるように制御することを特徴とする請求項３に記載の撮像装置。
【請求項８】
被写体画像を撮影する撮像手段を備える撮像装置の制御方法であって、
前記撮像手段により撮影された画像を、所定の圧縮ファイル形式にするための処理を行う画像処理工程と、
前記撮影された画像を表示手段に表示するための処理を行う表示処理工程と、
前記画像処理工程により実行される圧縮処理の完了後に、前記表示処理工程により前記撮影された画像を表示するための処理と次の被写体画像を撮影するための前記撮像手段の実行とが並行して行われるように制御する制御工程とを有する制御方法。
【請求項９】
前記撮像装置は、更に単写撮影モードと連写撮影モードを設定する設定手段を有し、
前記制御工程では、前記設定手段により連写撮影モードが設定されているときにのみ、前記撮影された画像を表示するための処理と次の被写体画像を撮影するための前記撮像手段の実行とが並行して行われるように制御することを特徴とする請求項８に記載の制御方法。
【請求項１０】
前記撮像装置は、更に撮影された画像を表示手段に表示する際に所定の撮影情報を重畳して表示するか否かにより区別される少なくとも２つ以上の再生表示モードと、該再生表示モードを選択するための選択手段を有し、
前記制御工程では、前記選択手段により前記所定の撮影情報を重畳して表示しない再生表示モードが選択されているときにのみ、前記撮影された画像の表示するための処理と次の被写体画像を撮影するための前記撮像手段の実行とが並行して行われるように制御することを特徴とする請求項８に記載の制御方法。
【請求項１１】
前記制御工程では、前記選択手段により重畳して表示する撮影情報の情報量が所定量以下の再生表示モードが選択されている場合には、撮影情報を重畳して表示しない再生表示モードが選択されている場合と同様に、前記撮影された画像の表示するための処理と次の被写体画像を撮影するための前記撮像手段の実行とが並行して行われるように制御することを特徴とする請求項１０に記載の制御方法。
【請求項１２】
前記制御工程では、前記選択手段により前記所定の撮影情報を重畳して表示する再生表示モードが選択されているときには、前記撮影された画像の表示するための処理が完了した後に、次の被写体画像を撮影するための前記撮像手段の実行が行われるように制御することを特徴とする請求項１０に記載の制御方法。
【請求項１３】
前記制御工程では、前記選択手段により撮影条件のみを重畳して表示する再生表示モードが選択されている場合には、撮影情報を重畳して表示しない再生表示モードが選択されている場合と同様に、前記撮影された画像の表示するための処理と次の被写体画像を撮影するための前記撮像手段の実行とが並行して行われるように制御することを特徴とする請求項１０に記載の制御方法。
【請求項１４】
前記制御工程では、前記選択手段により撮影条件及び画像の輝度分布を重畳して表示する再生表示モードが選択されている場合には、前記撮影された画像の表示するための処理が完了した後に、次の被写体画像を撮影するための前記撮像手段の実行が行われるように制御することを特徴とする請求項１０に記載の制御方法。
【請求項１５】
請求項８乃至１４のいずれか１項に記載の制御方法を、撮像装置のコンピュータに実行させるためのプログラム。
【請求項１６】
請求項１５に記載のプログラムを記憶したことを特徴とするコンピュータ可読記憶媒体。
【発明の詳細な説明】
【技術分野】
【０００１】
本発明は、静止画像や動画像を撮像、記録、再生する撮像装置及びその制御方法に関する。
【背景技術】
【０００２】
従来、固体メモリ素子を有するメモリカードを記録媒体として、静止画像や動画像を記録再生する電子カメラ等の撮像装置は既に市販されており、カラー液晶パネル等の電子ファインダーを備える電子カメラも販売されている。
【０００３】
これらの電子カメラによれば、撮影前の画像を連続して表示して電子カメラの使用者が構図を決定することや、撮影した画像を再生表示して確認することが可能である。
【０００４】
特に、撮影した画像を撮影直後に再生する機能は利便性が高く、電子カメラのユーザにとって有益な機能となっている。
【０００５】
また、上記電子ビューファインダーを使用して連写を行った場合、撮影処理中に撮像素子を通したスルー画像をファインダーに表示することができないため、レビュー画像は連写時にユーザが構図を決定するための補助的な役割も担っている。
従来の撮像装置における連写処理においては、図１２に示すように、１枚撮影後に撮影した画像データからレビュー用ＶＲＡＭを生成・表示後、次の撮影処理を行っている。このように単に撮影処理→画像処理→レビュー表示処理を繰り返すのは、少ないバッファメモリ上に撮影画像を格納して処理するためであるが、もし、大量のバッファメモリを搭載する場合には次々と未処理の撮影画像を格納することができるため、撮影処理と画像処理を実質上独立して行うことが可能となるため、高速連写が可能となる。このような連写においては、前のコマの現像・圧縮処理中に次のコマの露光（キャプチャー）を行っている。
【特許文献１】特開平１１−２６１８５３号公報
【特許文献２】特開平５−１６１１１０号公報
【発明の開示】
【発明が解決しようとする課題】
【０００６】
しかしながら、上記従来の撮像装置のように、１枚撮影後に撮影した画像データからレビュー用ＶＲＡＭを生成・表示後、次の撮影処理を行っているものでは、撮影処理に同期して撮影画像が表示され、撮影処理と撮影処理の間にレビュー用ＶＲＡＭ生成・表示処理が行われるため、撮影間隔が長くなってしまうという問題があった。
【０００７】
また、上述した前のコマの現像・圧縮処理中に次のコマの露光（キャプチャー）を行う並行処理では、処理を行うＲＡＷデータ（前のコマ）のためのバッファ領域と、次に取り込むＲＡＷデータ（次のコマ）のためのバッファ領域を必要とするため、メモリのコスト増大を招き、必ずしも好ましいものではなかった。
【０００８】
本発明は、撮影処理とレビュー表示の同期を取りつつ、少ないバッファメモリで撮影間隔を縮めることができる撮像装置及びその制御方法を提供することを目的とする。
【課題を解決するための手段】
【０００９】
上記課題を解決し、目的を達成するため、本発明は、被写体画像を撮影する撮像手段と、前記撮像手段により撮影された画像を、所定の圧縮ファイル形式にするための処理を行う画像処理手段と、前記撮影された画像を表示手段に表示するための処理を行う表示処理手段と、前記画像処理手段により実行される圧縮処理の完了後に、前記表示処理手段により前記撮影された画像を表示するための処理と次の被写体画像を撮影するための前記撮像手段の実行とが並行して行われるように制御する制御手段とを有する。
【００１０】
また、本発明は、被写体画像を撮影する撮像手段を備える撮像装置の制御方法であって、前記撮像手段により撮影された画像を、所定の圧縮ファイル形式にするための処理を行う画像処理工程と、前記撮影された画像を表示手段に表示するための処理を行う表示処理工程と、前記画像処理工程により実行される圧縮処理の完了後に、前記表示処理工程により前記撮影された画像を表示するための処理と次の被写体画像を撮影するための前記撮像手段の実行とが並行して行われるように制御する制御工程とを有する。
【発明の効果】
【００１１】
本発明によれば、撮影処理とレビュー表示の同期を取りつつ、少ないバッファメモリ（例えば、１コマ分）を搭載して撮影間隔を縮めることができる。
【発明を実施するための最良の形態】
【００１２】
以下に、添付図面を参照して本発明を実施するための最良の形態について詳細に説明する。
【００１３】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１４】
図１は、本発明に係る実施形態の撮像装置の機能ブロック図である。
【００１５】
図１に示す撮像装置１００において、１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１６】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１７】
２０は画像処理回路であり、Ａ／Ｄ変換器１６からのデータ或いはメモリ制御回路２２からのデータに対して所定の画素補間処理や色変換処理を行う。
【００１８】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００１９】
さらに、画像処理回路２０においては、撮像した画像データを用いて所定の演算処理を行い、得られた演算結果に基づいてTTL方式のAWB（オートホワイトバランス）処理も行っている。
【００２０】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２１】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２２】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。
【００２３】
画像表示部２８を用いて撮像した画像データを逐次表示すれば、電子ファインダー機能を実現することが可能である。
【００２４】
また、画像表示部２８は、システム制御回路５０の指示により任意に表示をＯＮ/ＯＦＦすることが可能であり、表示をＯＦＦにした場合には撮像装置１００の電力消費を大幅に低減することが出来る。
【００２５】
さらに、画像表示部２８は、回転可能なヒンジ部によって撮像装置１００本体と結合されており、自由な向き、角度を設定して電子ファインダー機能や再生表示機能、各種表示機能を使用することが可能である。
【００２６】
３０は撮影した静止画像や動画像を格納するためのメモリであり、所定枚数の静止画像や所定時間の動画像を格納するのに十分な記憶量を備えている。
【００２７】
これにより、複数枚の静止画像を連続して撮影する連射撮影やパノラマ撮影の場合にも、高速かつ大量の画像書き込みをメモリ３０に対して行うことが可能となる。
【００２８】
また、メモリ３０はシステム制御回路５０の作業領域としても使用することが可能である。
【００２９】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３０】
４０は絞り機能を備えるシャッター１２を制御する露光制御手段であり、フラッシュ４８と連携することによりフラッシュ調光機能も有するものである。
【００３１】
４２は撮影レンズ１０のフォーカシングを制御する測距制御手段である。
【００３２】
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００３３】
４４は撮影レンズ１０のズーミングを制御するズーム制御手段、４６はバリアである保護手段１０２の動作を制御するバリア制御手段である。
【００３４】
４８はコネクタであり、アクセサリーシューとも呼ばれ、フラッシュ装置４００との電気接点や機械的な固定手段も合わせて備えている。
【００３５】
５０は撮像装置１００全体を制御するシステム制御回路、５２はシステム制御回路５０の動作用の定数、変数、プログラム等を記憶するメモリである。
【００３６】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばLCDやLED、発音素子等の組み合わせにより構成されている。
【００３７】
また、表示部５４は、その一部の機能が光学ファインダー１０４内に設置されている。表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付・時刻表示、等がある。
【００３８】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００３９】
５６は電気的に消去・記録可能な不揮発性メモリであり、例えばEEPROM等が用いられる。
【００４０】
６０、６２、６４、６６、６８、７０及び７１は、システム制御回路５０の各種の動作指示を入力するための操作手段であり、スイッチやダイアル、タッチパネル、視線検知によるポインティング、音声認識装置等の単数或いは複数の組み合わせで構成される。
【００４１】
ここで、これらの操作手段の具体的な機能について説明する。
【００４２】
６０はモードダイアルスイッチで、電源オフ、自動撮影モード、撮影モード、パノラマ撮影モード、再生モード、マルチ画面再生・消去モード、PC接続モード等の各機能モードを切り替え設定することが出来る。
【００４３】
６２はシャッタースイッチＳＷ１で、不図示のシャッターボタンの操作途中でＯＮとなり、AF（オートフォーカス）処理、AE（自動露出）処理、AWB（オートホワイトバランス）処理、ＥＦ（フラッシュプリ発光）処理等の動作開始を指示する。
【００４４】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ30に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４５】
６６は画像表示ＯＮ/ＯＦＦスイッチで、画像表示部２８のＯＮ/ＯＦＦを設定することが出来る。
【００４６】
この機能により、光学ファインダー１０４を用いて撮影を行う際に、TFT LCD等から成る画像表示部への電流供給を遮断することにより、省電力を図ることが可能となる。
【００４７】
６８は単写/連写スイッチで、シャッタースイッチＳＷ２を押した場合に１コマの撮影を行って待機状態とする単写モードとシャッタースイッチＳＷ２を押している間は連続して撮影を行い続ける連写モードとを設定することが出来る。
【００４８】
７１は撮影直後に撮影した画像データを自動再生する撮影確認の有無を設定するレビューＯＮ/ＯＦＦスイッチ。
【００４９】
７２は撮影確認設定ＳＷで、撮影画像のみを表示するクイックレビューモード、露出設定値等の撮影画像情報を撮影画像に重ねて表示する簡易情報表示モード、簡易情報表示モードで表示する撮影画像情報に加えて、撮影画像の輝度分布などさらに詳細な情報を表示する詳細情報表示モードを設定することができる。
【００５０】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン、パノラマモード等の撮影及び再生を実行する際に各種機能の選択及び切り替えを設定する選択/切り替えボタン、パノラマモード等の撮影及び再生を実行する際に各種機能の決定及び実行を設定する決定/実行ボタン、画像表示部２８のＯＮ/ＯＦＦを設定する画像表示ＯＮ/ＯＦＦスイッチ、JPEG圧縮の圧縮率を選択するため或いは撮像素子の信号をそのままディジタル化して記録媒体に記録するCCDRAWモードを選択するためのスイッチである圧縮モードスイッチ、再生モード、マルチ画面再生・消去モード、PC接続モード等の各機能モードを設定することが出来る再生モードスイッチ、撮影モード状態において、撮影した画像をメモリ３０或いは記録媒体２００或いは２１０から読み出して画像表示部２８によって表示する再生動作の開始を指示する再生スイッチ等がある。
【００５１】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００５２】
８２はコネクタ、８４はコネクタ、８６はアルカリ電池やリチウム電池等の一次電池やNiCd電池やNiMH電池、Li電池等の二次電池、ACアダプター等からなる電源手段である。
【００５３】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５４】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５５】
インターフェース及びコネクタとしては、PCMCIAカードやCF（コンパクトフラッシュ（登録商標））カード等の規格に準拠したものを用いて構成して構わない。
【００５６】
さらに、インターフェース９０及び９４、そしてコネクタ９２及び９６をPCMCIAカードやCF（コンパクトフラッシュ（登録商標））カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００５７】
１０２は、撮像装置１００のレンズ１０を含む撮像部を覆う事により、撮像部の汚れや破損を防止するバリアである保護手段である。
【００５８】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５９】
１０６は画像表示部開閉検知手段であり、画像表示部２８が、画像表示部２８の表示部分を撮像装置１００に向けて格納した格納状態にあるかどうかを検知することが出来る。
【００６０】
ここで、格納状態にあると検知したならば画像表示部２８の表示動作を停止して不要な電力消費を禁止することが可能である。
【００６１】
１１０は通信手段で、RS232CやUSB、IEEE1394、P1284、SCSI、モデム、LAN、無線通信、等の各種通信機能を有する。
【００６２】
１１２は通信手段１１０により撮像装置１００を他の機器と接続するコネクタ或いは無線通信の場合はアンテナである。
【００６３】
２００はメモリカードやハードディスク等の記録媒体である。
【００６４】
記録媒体２００は、半導体メモリや磁気ディスク等から構成される記録部２０２、撮像装置１００とのインターフェース２０４、撮像装置１００と接続を行うコネクタ２０６を備えている。
【００６５】
２１０はメモリカードやハードディスク等の記録媒体である。
【００６６】
記録媒体２１０は、半導体メモリや磁気ディスク等から構成される記録部２１２、撮像装置１００とのインターフェース２１４、撮像装置１００と接続を行うコネクタ２１６を備えている。
【００６７】
４００はフラッシュ装置である。
【００６８】
４０２は撮像装置１００のアクセサリーシューと接続するためのコネクタである。  ４０４はフラッシュであり、AF補助光の投光機能、フラッシュ調光機能も有する。
【００６９】
次に、図２Ａ乃至図１１を参照して、本実施形態の撮像装置の動作について説明する。
【００７０】
図２Ａ，２Ｂ乃至図４Ａ，４Ｂは本実施形態の撮像装置のメインルーチンを示すフローチャートである。
【００７１】
電池交換等の電源投入により、システム制御回路５０はフラグや制御変数等を初期化し（Ｓ１０１）、画像表示部２８の画像表示をＯＦＦ状態に初期設定する（Ｓ１０２）。
【００７２】
システム制御回路５０は、モードダイアル６０の設定位置を判断し、モードダイアル６０が電源ＯＦＦに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む撮像装置１００各部の不要な電源を遮断する等の所定の終了処理を行った後（Ｓ１０５）、Ｓ１０３に戻る。
【００７３】
モードダイアル６０が撮影モードに設定されていたならば（Ｓ１０３）、Ｓ１０６に進む。
【００７４】
モードダイアル６０がその他のモードに設定されていたならば（Ｓ１０３）、システム制御回路５０は選択されたモードに応じた処理を実行し（Ｓ１０４）、処理を終えたならばＳ１０３に戻る。
【００７５】
システム制御回路５０は、電源制御手段８０により電池等により構成される電源８６の残容量や動作情況が撮像装置１００の動作に問題があるか否かを判断し（Ｓ１０６）、問題があるならば表示部５４を用いて画像や音声により所定の警告表示を行った後に（Ｓ１０８）、Ｓ１０３に戻る。
【００７６】
電源８６に問題が無いならば（Ｓ１０６）、システム制御回路５０は記録媒体２００或いは２１０の動作状態が撮像装置１００の動作、特に記録媒体に対する画像データの記録再生動作に問題があるか否かを判断し（Ｓ１０７）、問題があるならば表示部５４を用いて画像や音声により所定の警告表示を行った後に（Ｓ１０８）、Ｓ１０３に戻る。
【００７７】
記録媒体２００或いは２１０の動作状態に問題が無いならば（Ｓ１０７）、Ｓ１０９に進む。
【００７８】
システム制御回路５０は、単写撮影/連写撮影を設定する単写/連写スイッチ６８の設定状態を調べ（Ｓ１０９）、単写撮影が選択されていたならば単写/連写フラグを単写に設定し（Ｓ１１０）、連写撮影が選択されていたならば単写/連写フラグを連写に設定し（Ｓ１１１）、フラグの設定を終えたならばＳ１１２に進む。
【００７９】
単写/連写スイッチ６８によれば、シャッタースイッチＳＷ２を押した場合に１駒の撮影を行って待機状態とする単写モードと、シャッタースイッチＳＷ２を押している間は連続して撮影を行い続ける連写モードとを任意に切り替えて設定を切り替ることが出来る。
【００８０】
なお、単写/連写フラグの状態は、システム制御回路５０の内部メモリ或いはメモリ５２に記憶する。
【００８１】
システム制御回路５０は、表示部５４を用いて画像や音声により撮像装置１００の各種設定状態の表示を行う（Ｓ１１２）。なお、画像表示部２８の画像表示がＯＮであったならば、画像表示部２８も用いて画像や音声により撮像装置１００の各種設定状態の表示を行う。
【００８２】
続いて、システム制御回路５０は、画像表示ＯＮ/ＯＦＦスイッチ６６の設定状態を調べ（Ｓ１１３）、画像表示ＯＮに設定されていたならばＳ１１４に進む。
【００８３】
さらに、システム制御回路５０は、画像表示部開閉検知手段１０６により画像表示部２８が格納状態にあるか表示状態にあるかを判断し（Ｓ１１４）、表示状態にあると判断したならば、画像表示フラグを設定すると共に（Ｓ１１５）、画像表示部２８の画像表示をＯＮ状態に設定し（Ｓ１１６）、さらに撮像した画像データを逐次表示するスルー表示状態に設定して（Ｓ１１７）、Ｓ１３１に進む。
【００８４】
スルー表示状態に於いては、撮像素子１２、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【００８５】
画像表示ＯＮ/ＯＦＦスイッチ６６が画像表示ＯＦＦに設定されていたならば（Ｓ１１３）、或いは、画像表示部開閉検知手段１０６により画像表示部２８が格納状態にあると判断したならば（Ｓ１１４）、画像表示フラグを解除すると共に（Ｓ１１８）、画像表示部２８の画像表示をＯＦＦ状態に設定して（Ｓ１１９）、Ｓ１２０に進む。
【００８６】
画像表示ＯＦＦの場合は、画像表示部２８による電子ファインダー機能を使用せず、光学ファインダー１０４を用いて撮影を行う。この場合、電力消費量の大きい画像表示部２８やＤ／Ａ変換器２６等の消費電力を削減することが可能となる。
なお、画像表示フラグの状態は、システム制御回路５０の内部メモリ或いはメモリ５２に記憶する。
【００８７】
レビューＯＮ/ＯＦＦスイッチ７１がＯＮに設定されていたならば（Ｓ１２０）、レビュー表示フラグをＯＮに設定しＳ１２１に進む。撮影確認設定スイッチ７２がクイックレビューに設定されていたならば（Ｓ１２２）、撮影確認設定をクイックレビュー設定にし（Ｓ１２３）、Ｓ１３１に進む。撮影確認設定スイッチ７２が簡易情報表示に設定されていたならば（Ｓ１２２）、撮影確認設定を簡易情報表示設定にし（Ｓ１２４）、Ｓ１３１に進む。撮影確認設定スイッチ７２が詳細情報表示に設定されていたならば（Ｓ１２２）、撮影確認設定を詳細情報表示設定にし（Ｓ１２５）、図３のＳ１３１に進む。レビューＯＮ/ＯＦＦスイッチ７１がＯＦＦに設定されていたならば（Ｓ１２０）、レビュー表示フラグをＯＦＦに設定し（Ｓ１２６）、図３のＳ１３１に進む。
【００８８】
なお、本実施形態においては、上述のようにクイックレビュー設定、簡易情報表示設定及び詳細情報表示設定の３つの再生モードで説明するが、例えばクイックレビュー設定と詳細情報表示設定の２つの再生モードのみを持つものとしてもよい。
【００８９】
シャッタースイッチＳＷ１が押されていないならば（Ｓ１３１）、Ｓ１０３に戻る。
シャッタースイッチＳＷ１が押されたならば（Ｓ１３１）、システム制御回路５０はシステム制御回路５０の内部メモリ或いはメモリ５２に記憶される画像表示フラグの状態を判断し（Ｓ１３２）、画像表示フラグが設定されていたならば画像表示部２８の表示状態をフリーズ表示状態に設定して（Ｓ１３３）、Ｓ１３４に進む。
【００９０】
フリーズ表示状態においては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。  画像表示フラグが解除されていたならば（Ｓ１３２）、Ｓ１３４に進む。
【００９１】
システム制御回路５０は、測距処理を行って撮影レンズ１０の焦点を被写体に合わせ、測光処理を行って絞り値及びシャッター時間を決定する（Ｓ１３４）。測光処理に於いて、必要であればフラッシュの設定も行う。
【００９２】
この測距・測光処理Ｓ１３４の詳細は図５を用いて後述する。
【００９３】
測距・測光処理Ｓ１３４を終えたならば、システム制御回路５０は、設定された撮影動作モードと測距・測光処理Ｓ１３４において決定した露出結果から、設定すべきシャッター速度が機械シャッターの最高速側のシャッター秒時を超えているか否かを判断し（Ｓ１３５）、超えていないならば機械シャッターでのシャッター秒時の設定を行い（Ｓ１３６）、Ｓ１３８に進む。超えているならば機械シャッターと電子シャッターを併用するシャッター秒時の設定を行い（Ｓ１３７）、Ｓ１３８に進む。
【００９４】
システム制御回路５０はシステム制御回路５０の内部メモリ或いはメモリ５２に記憶される画像表示フラグの状態を判断し（Ｓ１３８）、画像表示フラグが設定されていたならば画像表示部２８の表示状態をスルー表示状態に設定して（Ｓ１３９）、Ｓ１４０に進む。
【００９５】
シャッタースイッチＳＷ２が押されずに（Ｓ１４０）、さらにシャッタースイッチＳＷ１も解除されたならば（Ｓ１４１）、Ｓ１０３に戻る。
【００９６】
シャッタースイッチＳＷ２が押されたならば（Ｓ１４０）、システム制御回路５０はシステム制御回路５０の内部メモリ或いはメモリ５２に記憶される画像表示フラグの状態を判断し（Ｓ１４２）、画像表示フラグが設定されていたならば画像表示部２８の表示状態を固定色表示状態に設定して（Ｓ１４３）、Ｓ１６１に進む。
【００９７】
固定色表示状態に於いては、撮像素子１２、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【００９８】
画像表示フラグが解除されていたならば（Ｓ１４２）、図４ＡのＳ１６０に進む。
【００９９】
システム制御回路５０はシステム制御回路５０の内部メモリ或いはメモリ５２に記憶される単写/連写フラグの状態を判断し（Ｓ１６０）、単写が設定されていたならばＳ１６１に、連写が設定されていたならばＳ１７６に進む。
【０１００】
システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を、撮影処理キューに登録し（Ｓ１６１）、撮影処理を開始する（Ｓ１６２）。
【０１０１】
この撮影処理Ｓ１６２の詳細は図６を用いて後述する。
【０１０２】
システム制御回路５０は、撮影完了キューをチェックし（Ｓ１６３）、撮影が完了すると（Ｓ１６４）、画像ファイル登録キューに撮影画像を登録し（１６６）、画像記録処理を開始する（Ｓ１６７）。画像記録処理の詳細については図１０を用いて後述する。
【０１０３】
システム制御回路５０は、システム制御回路５０の内部メモリ或いはメモリ５２に記憶されるレビューフラグの状態を判断し（Ｓ１６８）、レビューフラグがＯＮであれば、レビュー画像を表示する。撮影確認設定がクイックレビューであれば（Ｓ１６９）、メモリ３０から画像表示部２８の表示形式に合わせて処理を行った（Ｓ１７１）画像データを読み出し、メモリ制御回路２２を介して画像表示メモリ２４に表示画像データの転送を行い、画像表示メモリ２４から読み出した表示画像データを画像表示部２８に表示する、クイックレビュー表示を行う（Ｓ１７２）。撮影確認設定が簡易情報表示または詳細情報表示である場合には（Ｓ１６９）、画像データに重畳して表示する情報表示データを作成した（Ｓ１７０）後にレビュー画像に重畳して情報データ表示を行う（Ｓ１７２）。ここで、表示画像データの作成と重畳表示データの作成順序は問わない。
【０１０４】
レビューフラグがＯＦＦされていたならば（Ｓ１６８）、画像表示部２８がＯＦＦの状態のままＳ１７３に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法である。
【０１０５】
シャッタースイッチＳＷ１が放されたならば（Ｓ１７３）、Ｓ１７４に進む。システム制御回路５０は、システム制御回路５０の内部メモリ或いはメモリ５２に記憶される画像表示フラグの状態を判断し（Ｓ１７４）、撮像した画像データを逐次表示するスルー表示状態に設定する（Ｓ１７５）。
【０１０６】
Ｓ１６０において、単写/連写フラグの状態を判断した結果、連写が設定されていたならばＳ１７６に進む。
【０１０７】
システム制御回路５０は、撮影処理を、撮影処理キューに登録し（Ｓ１７６）、撮影処理を開始する（Ｓ１７７）。この撮影処理Ｓ１７７の詳細は図６を用いて後述する。
【０１０８】
システム制御回路５０は、撮影完了キューをチェックし（Ｓ１７８）、撮影が完了すると（Ｓ１７９）、画像ファイル登録キューに撮影画像を登録し（Ｓ１８１）、画像記録処理を開始する（Ｓ１８２）。
【０１０９】
画像記録処理開始（Ｓ１８２）後、ＳＷ２がＯＮされている場合（Ｓ１８３）には、Ｓ１８４に進む。システム制御回路５０は、システム制御回路５０の内部メモリ或いはメモリ５２に記憶されるレビューフラグの状態を判断し（Ｓ１８４）、レビューフラグがＯＮであり、撮影確認設定が詳細情報表示設定であれば（Ｓ１８５）、画像データに重畳して表示する情報表示データを作成した（Ｓ１８６）後に、メモリ３０から画像表示部２８の表示形式に合わせて処理を行った（Ｓ１８７）画像データを読み出し、メモリ制御回路２２を介して画像表示メモリ２４に表示画像データの転送を行い、画像表示メモリ２４から読み出した表示画像データ及び重畳表示データを画像表示部２８に表示する（Ｓ１８８）。ここで、表示画像データの作成と重畳表示データの作成順序は問わない。詳細情報設定でレビュー画像を表示（Ｓ１８８）後、再度、撮影処理を撮影処理キューに登録し、（Ｓ１７６）、撮影処理を開始する（Ｓ１７７）。
【０１１０】
Ｓ１８４において、レビューフラグの状態を判断した結果、レビューフラグがＯＮであり、撮影確認設定がクイックレビュー設定または簡易情報表示設定であれば（Ｓ１８５）、撮影処理を撮影処理キューに登録し、（Ｓ１８９）、撮影処理を開始し（Ｓ１９０）、Ｓ１９１に進む。撮影確認設定がクイックレビューであれば（Ｓ１９１）、メモリ３０から画像表示部２８の表示形式に合わせて処理を行った（Ｓ１９３）画像データを読み出し、メモリ制御回路２２を介して画像表示メモリ２４に表示画像データの転送を行い、画像表示メモリ２４から読み出した表示画像データを画像表示部２８に表示する、クイックレビュー表示を行う（Ｓ１９４）。撮影確認設定が簡易情報表示である場合には（Ｓ１９１）、画像データに重畳して表示する情報表示データを作成した（Ｓ１９２）後にレビュー画像に重畳して情報データ表示を行う（Ｓ１９４）。ここで、表示画像データの作成と重畳表示データの作成順序は問わない。その後、Ｓ１７８に進みＳ１９０で開始した撮影処理の完了を待つ（Ｓ１７８，Ｓ１７９）。
【０１１１】
また、画像記録処理開始（Ｓ１８２）後、ＳＷ２がＯＦＦされている場合（Ｓ１８３）には、Ｓ１９５に進む。システム制御回路５０は、システム制御回路５０の内部メモリ或いはメモリ５２に記憶されるレビューフラグの状態を判断し（Ｓ１１９５）、レビューフラグがＯＮであり、撮影確認設定が詳細情報表示設定又は簡易情報表示設定であれば（Ｓ１９６）、画像データに重畳して表示する情報表示データを作成した（Ｓ１９７）後に、メモリ３０から画像表示部２８の表示形式に合わせて処理を行った（Ｓ１９８）画像データを読み出し、メモリ制御回路２２を介して画像表示メモリ２４に表示画像データの転送を行い、画像表示メモリ２４から読み出した表示画像データ及び重畳表示データを画像表示部２８に表示する（Ｓ１９９）。また、撮影確認設定がクイックレビュー設定であれば（Ｓ１９６）、メモリ３０から画像表示部２８の表示形式に合わせて処理を行った（Ｓ１９８）画像データを読み出し、画像表示部２８に表示する（Ｓ１９９）。Ｓ１９９でレビュー画像を表示（Ｓ１９９）後、シャッタースイッチＳＷ１が放されるまで（Ｓ２００）、システム制御回路５０は、現在の処理を繰り返す。
【０１１２】
このように、クイックレビュー設定時や簡易情報設定時においては表示画像の生成時間が短く、撮影処理を行っている間に前回撮影画像のレビュー表示を行うことができるため、撮影処理と同期してレビュー表示を行うことができる。しかし、詳細表示設定においては輝度分布表示データの生成等により、表示画像生成時間がクイックレビューや簡易情報表示よりも長くなり、短い露光時間での撮影処理下では、レビュー表示を撮影処理と同期させることができない。
【０１１３】
しかし、レビュー設定に応じて撮影シーケンスを切り替えることにより、クイックレビュー設定時や簡易詳細設定時には、連写撮影間隔を短縮することが可能である。
【０１１４】
図１１は、本実施形態の撮影処理、画像処理及びレビュー表示処理の流れを時系列的に示した図であり、本実施形態においては連写コマ速度を上げる（連写間隔を短縮する）ために、
（１）クイックレビュー設定時（図２ＢのＳ１２３）において、次の露光を開始してから表示用ＶＲＡＭを生成して、レビュー表示を行う。つまり、画像処理が終わった段階で、表示処理と次の撮影処理を並行して行う。
（２）簡易情報表示設定時（図２ＢのＳ１２４）において、次の露光を開始してから重畳情報表示用ＶＲＡＭ及びレビュー表示用ＶＲＡＭを生成して、レビュー表示を行う。つまり、画像処理が終わった段階で表示処理と次の撮影処理とを並行して行う。
（３）ただし、重畳表示するＶＲＡＭ生成に時間を要し（表示処理に時間がかかり）、表示処理が撮影処理と同期せずに追い越されてしまう可能性があるため、詳細情報表示設定時（図２ＢのＳ１２５）には、レビューを表示してから次の露光を開始し、並行処理は行わない。
【０１１５】
これにより、図１２のように連写時に撮影処理→画像処理→レビュー表示処理を単に繰り返していたものと比較して、特にクイックレビュー時及び簡易情報表示設定時の連写間隔を短縮することができる。
【０１１６】
図５は、図３のＳ１３４における測距・測光処理の詳細なフローチャートを示す。
【０１１７】
システム制御回路５０は、撮像素子１４から電荷信号を読み出し、Ａ／Ｄ変換器１６を介して画像処理回路２０に撮影画像データを逐次読み込む（Ｓ３０１）。この逐次読み込まれた画像データを用いて、画像処理回路２０はTTL（スルー・ザ・レンズ）方式のAE（自動露出）処理、EF（フラッシュプリ発光）処理、AF（オートフォーカス）処理に用いる所定の演算を行っている。
【０１１８】
なお、ここでの各処理は、撮影した全画素数のうちの必要に応じた特定の部分を必要個所分切り取って抽出し、演算に用いている。これにより、 TTL方式のAE、EF、AWB、AFの各処理において、中央重点モード、平均モード、評価モードの各モード等の異なるモード毎に最適な演算を行うことが可能となる。
【０１１９】
画像処理回路２０での演算結果を用いて、システム制御回路５０は露出（AE）が適正と判断されるまで（Ｓ３０２）、露光制御手段４０を用いてAE制御を行う（Ｓ３０３）。
AE制御で得られた測定データを用いて、システム制御回路５０はフラッシュが必要か否かを判断し（Ｓ３０４）、フラッシュが必要ならばフラッシュフラグをセットし、フラッシュ４８を充電する（Ｓ３０５）。
【０１２０】
露出（AE）が適正と判断したならば（Ｓ３０２）、測定データ及び或いは設定パラメータをシステム制御回路５０の内部メモリ或いはメモリ５２に記憶する。
【０１２１】
画像処理回路２０での演算結果及びAE制御で得られた測定データを用いて、システム制御回路５０はホワイトバランス（AWB）が適正と判断されるまで（Ｓ３０６）、画像処理回路２０を用いて色処理のパラメータを調節してAWB制御を行う（Ｓ３０７）。
【０１２２】
ホワイトバランス（AWB）が適正と判断したならば（Ｓ３０６）、測定データ及び或いは設定パラメータをシステム制御回路５０の内部メモリ或いはメモリ５２に記憶する。
【０１２３】
AE制御及びAWB制御で得られた測定データを用いて、システム制御回路５０は測距（AF）が合焦と判断されるまで（Ｓ３０８）、測距制御手段４２を用いてAF制御を行う（Ｓ３０９）。
【０１２４】
測距（AF）が合焦と判断したならば（Ｓ３０８）、測定データ及び或いは設定パラメータをシステム制御回路５０の内部メモリ或いはメモリ５２に記憶し、測距・測光処理ルーチンＳ１３４を終了する。
【０１２５】
図６は、図４ＡのＳ１６２、図４ＢのＳ１７７及びＳ１９０における撮影処理開始の詳細なフローチャートを示す。
【０１２６】
システム制御回路５０は、撮影処理キューが空かチェックし（Ｓ４０１）、空であれば撮影処理を停止する。空でなければ撮影処理キューに登録された撮影処理キューを取り出し（Ｓ４０２）、撮影処理を行う（Ｓ４０３）。撮影が完了すると、図８に示すダーク取り込み処理（Ｓ４０４）、図９に示す現像処理（Ｓ４０５）を行い、メモリ３０の所定領域に書き込まれた画像データを読み出して、設定したモードに応じた画像圧縮処理を圧縮・伸長回路３２により行い（Ｓ４０６）、メモリ３０の画像記憶バッファ領域の空き画像部分に、撮影して一連の処理を終えた画像データの書き込みを行う。システム制御回路５０は、圧縮処理が完了後、撮影完了キューに撮影完了を登録する（Ｓ４０７）。
【０１２７】
図７は、図６のＳ４０３における撮影処理の詳細なフローチャートを示す。
【０１２８】
システム制御回路５０は、撮像素子１４の電荷クリア動作を行った後（Ｓ５０１）に、撮像素子１４の電荷蓄積を開始した後（Ｓ５０２）、シャッター制御手段４０によってシャッター１２を開き（Ｓ５０３）、撮像素子１４の露光を開始する（Ｓ５０４）。ここで、フラッシュ・フラグによりフラッシュ４８が必要か否かを判断し（Ｓ５０５）、必要な場合はフラッシュを発光させる（Ｓ５０６）。なお、フラッシュ４８が使用不可能な場合はＳ５０７に進む。
【０１２９】
更に、システム制御回路５０は、測光データに従って撮像素子１４の露光終了を待ち（Ｓ５０７）、シャッター制御手段４０によって、シャッター１２を閉じ（Ｓ５０８）、撮像素子１４の露光を終了する。設定した電荷蓄積時間が経過したならば（Ｓ５０９）、システム制御回路５０は、撮像素子１４の電荷蓄積を終了した後（Ｓ５１０）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０の所定領域への撮影画像データを書き込む（Ｓ５１１）。一連の処理を終えたならば、図６のＳ４０４に進む。
【０１３０】
図８は、図６のＳ４０４におけるダーク取り込み処理の詳細なフローチャートを示す。
【０１３１】
システム制御回路５０は、撮像素子１４の電荷クリア動作を行った後に（Ｓ６０１）、シャッター１２が閉じた状態で、撮像素子１４の電荷蓄積を開始する（Ｓ６０２）。設定した所定の電荷蓄積時間が経過したならば（Ｓ６０３）、システム制御回路５０は、撮像素子１４の電荷蓄積を終了した後（Ｓ６０４）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０の所定領域への画像データ（ダーク画像データ）を書き込む（Ｓ６０５）。
【０１３２】
このダーク取り込みデータを用いて現像処理を行うことにより、撮像素子１４の発生する暗電流ノイズや撮像素子１４固有のキズによる画素欠損等の画質劣化に関して、撮影した画像データを補正することが出来る。なお、このダーク画像データは、新たにダーク取り込み処理が行われるか、撮像装置１００の電源がOFFされるまで、メモリ３０の所定領域に保持される。或いは、メモリ３０の一部或いは全部をEEPROMやハードディスク等の不揮発性メモリからなる構成として、ダーク画像データを不揮発性メモリに書き込むようにしたならば、新たにダーク取り込み処理が行われるまで、このダーク画像データは不揮発性メモリの所定領域に保持される。そして、このダーク画像データは、この後、撮影処理が実行されて、そこで、撮影した画像データを撮像素子１４より読み出して、現像処理を行う際に用いられる。一連の処理を終えたならば図６のＳ４０５に進む。
【０１３３】
図９は、図６のＳ４０５における現像処理の詳細なフローチャートを示す。
【０１３４】
システム制御回路５０は、メモリ３０に書き込まれた撮影画像データ及びダーク画像データを読み出して、輝度信号処理（Ｓ７０１）や色処理（Ｓ７０２）、サムネイル画像処理（Ｓ７０３）を順次行った後、メモリ３０に処理を終えた画像データを書き込む。一連の処理を終えたならば図６のＳ４０６に進む。
【０１３５】
図１０は、図４ＡのＳ１６７及び図４ＢのＳ１８２における画像記録処理開始の詳細なフローチャートを示す。
【０１３６】
システム制御回路５０は、ファイル登録キューに撮影画像が登録されると（Ｓ８０１でＮＯ）、登録された画像データを取り出し（Ｓ８０２）、インターフェース９０或いは９４、コネクタ９２或いは９６を介して、メモリカードやコンパクトフラッシュ（登録商標）カード等の記録媒体２００或いは２１０へ書き込みを行う（Ｓ８０３）。
［他の実施形態］
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
この場合、記憶媒体から読み出されたプログラムコード自体が前述した実施形態の機能を実現することになり、そのプログラムコードを記憶した記憶媒体は本発明を構成することになる。
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ等を用いることが出来る。
また、コンピュータが読み出したプログラムコードを実行することにより、前述した実施形態の機能が実現されるだけでなく、そのプログラムコードの指示に基づき、コンピュータ上で稼動しているＯＳ(オペレーティングシステム)などが実際の処理の一部又は全部を行い、その処理によって前述した実施形態の機能が実現される場合も含まれることは言うまでもない。
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるCPU等が実際の処理の一部又は全部を行い、その処理によって前述した実施形態の機能が実現される場合も含まれることは言うまでもない。
以上、図２Ａ〜１１を用いた説明では、詳細表示データ生成に多くの時間を要することを前提に述べたが、ハードウェアの高速化や、ＣＰＵ性能の向上により詳細表示データが高速に生成できれば、撮画確認設定によらず撮影処理中に前回撮影画像のレビュー表示を行うことが可能であることはいうまでもない。
【０１３７】
また、本システムでは、撮影確認設定が、クイックレビュー設定・簡易情報表示設定・詳細情報表示設定の３つの設定で説明したが、全ての設定が搭載されている必要はなく、例えば、クイックレビュー設定のみのシステムであっても問題ない。また、上記実施形態で説明した以外の撮影確認設定があっても問題ない。
【図面の簡単な説明】
【０１３８】
【図１】本発明に係る一実施形態の撮像装置の機能ブロック図である。
【図２Ａ】本実施形態の撮像装置が動作するメインルーチンの一部のフローチャートである。
【図２Ｂ】本実施形態の撮像装置が動作するメインルーチンの一部のフローチャートである。
【図３】本実施形態の撮像装置が動作するメインルーチンの一部のフローチャートである。
【図４Ａ】本実施形態の撮像装置が動作するメインルーチンの一部のフローチャートである。
【図４Ｂ】本実施形態の撮像装置が動作するメインルーチンの一部のフローチャートである。
【図４Ｃ】本実施形態の撮像装置が動作するメインルーチンの一部のフローチャートである。
【図５】図３の測距・測光ルーチンのフローチャートである。
【図６】図４の撮影処理開始ルーチンのフローチャートである
【図７】図６の撮影ルーチンのフローチャートである。
【図８】図６のダーク取り込みルーチンのフローチャートである。
【図９】図６の現像処理ルーチンのフローチャートである。
【図１０】図４の画像記録処理開始ルーチンのフローチャートである。
【図１１】本実施形態の撮影処理、画像処理及びレビュー表示処理の流れを時系列的に示した図である。
【図１２】従来例の撮影処理、画像処理及びレビュー表示処理の流れを時系列的に示した図である。
【符号の説明】
【０１３９】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  コネクタ（アクセサリーシュー）
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ/ＯＦＦスイッチ
６８  単写/連写スイッチ
７０  操作部
７１  レビューＯＮ/ＯＦＦＳＷ
７２  撮影確認設定ＳＷ
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  撮像装置
１０２  保護手段
１０４  光学ファインダ
１０６  画像表示部開閉検知手段
１１０  通信手段
１１２  コネクタ（またはアンテナ）
２００  記録媒体
２０２  記録部
２０４  インターフェース
２０６  コネクタ
２１０  記録媒体
２１２  記録部
２１４  インターフェース
２１６  コネクタ
４００  フラッシュ装置
４０２  コネクタ
４０４  フラッシュ
【図１】
2006086743.tif 000003
【図２Ａ】
2006086743.tif 000004
【図２Ｂ】
2006086743.tif 000005
【図３】
2006086743.tif 000006
【図４Ａ】
2006086743.tif 000007
【図４Ｂ】
2006086743.tif 000008
【図４Ｃ】
2006086743.tif 000009
【図５】
2006086743.tif 000010
【図６】
2006086743.tif 000011
【図７】
2006086743.tif 000012
【図８】
2006086743.tif 000013
【図９】
2006086743.tif 000014
【図１０】
2006086743.tif 000015
【図１１】
2006086743.tif 000016
【図１２】
2006086743.tif 000017